(57)【要約】【課題】熱交換器の上流に外気を導入する流通路の容積が急激に変化しない構成にして、外気の流通に伴って生じる騒音を低減させるようにした外気導入装置を備えた空気調和機を提供する。【解決手段】据付板２に壁孔Ｃに対応する連通孔２ａを、後部熱交換器１１の風上側となるベース６の背面に前記連通孔２ａに対応する吸気孔６ａを夫々設け、前記連通孔２ａの周縁に、前記壁孔Ｃを挿通してダクト１４の一端に接続される接続部Ｄを備えたダクトフランジ１５を取り付け、前記吸気孔６ａと前記後部熱交換器１１との間に、同後部熱交換器１１に連なるように開放して前記ダクト１４により導入された外気を前記後部熱交換器１１へ導くディフューザ２３を、前記ダクト１４の他端に開口面積を拡開させる拡開部１７を設けると共に、同拡開部１７に外気を導入する補助ファン１９を備えたノズル１８を夫々設け、前記ディフューザ２３を、連通口２１側から前記接続口２０側に行くにしたがって縮径するように形成した。【選択図】  図１
2004286318.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、一端に前記吸気孔に接続される接続口を備え、他端に同接続口よりも大径で形成された連通口を備え、前記ダクトにより導入された外気を前記後部熱交換器へ導くディフューザを設けると共に、前記ダクトの他端に開口面積を拡開させる拡開部を設けると共に、同拡開部に外気を導入する補助ファンを備えたノズルを設けてなり、
前記ディフューザが、前記連通口側から前記接続口側に行くにしたがって縮径するように形成されてなることを特徴とする空気調和機。
【請求項２】
前記ディフューザが、前記接続口を備えた背面と、同背面に接合された上下面および両側面とで箱状に形成され、同上下面の少なくとも一方を傾斜させるようにしてなることを特徴とする請求項１に記載の空気調和機。
【請求項３】
前記ディフューザが、前記接続口を備えた背面と、同背面に接合された上下面および両側面とで箱状に形成され、同両側面の少なくとも一方を傾斜させるようにしてなることを特徴とする請求項１に記載の空気調和機。
【請求項４】
前記ディフューザの背面と、前記上下面の少なくとも一方および、または前記両側面の少なくとも一方との接合部が曲面状に形成されてなることを特徴とする請求項２または請求項３に記載の空気調和機。
【請求項５】
前記ディフューザが、前記接続口を備えた背面と、同背面に接合された円筒部とで箱状に形成されてなることを特徴とする請求項１に記載の空気調和機。
【請求項６】
前記ディフューザの背面と、前記円筒部との接合部が曲面状に形成されてなることを特徴とする請求項５に記載の空気調和機。
【発明の詳細な説明】
【０００１】
【発明の属する技術分野】
本発明は、空気調和機に係わり、より詳細には、熱交換器の上流に外気を導入する流通路の容積が急激に変化しない構成にして、外気の流通に伴って生じる騒音を低減させるようにした外気導入装置の構造に関する。
【０００２】
【従来の技術】
従来の外気導入装置を備えた空調機器として、室温の制御と本体に外気を導入する制御とを関連づけることで本体の運転中に室内の空気の換気が行なえ、且つ室温の制御が効率的に行なえるものを提供するため、換気用ファンによって本体内部に吸い込まれた外気がクロスフローファンにより本体の空気吹出口から吹き出されるので室内の換気が行なえ、また、クロスフローファンの回転速度や室温と設定温度との差に応じて、換気用ファンの回転速度を制御することで、室温の制御と本体に外気を導入する制御とを関連づけているものがあり、外気を導入する換気ダクトの開口部近傍に換気用ファンを備えた構成が図示されていた（例えば、特許文献１参照。）。
【０００３】
しかしながら、上記空調機器の外気導入装置においては、換気用ファンおよびクロスフローファンにより外気を吸い込み、換気ダクトによって本体内に導入した際、この換気ダクトから出た外気は、本体内で容積が急激に大きくなるように変化することによって低周波を主成分とした共鳴音が発生し、騒音によって使用者に不快感を与えてしまうおそれがあった。
【０００４】
【特許文献１】
特開２００２−１１５８８８号公報（第１頁〜第２頁、第２図）
【０００５】
【発明が解決しようとする課題】
本発明においては、上記の問題点に鑑み、熱交換器の上流に外気を導入する流通路の容積が急激に変化しない構成にして、外気の流通に伴って生じる騒音を低減させるようにした外気導入装置を備えた空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、一端に前記吸気孔に接続される接続口を備え、他端に同接続口よりも大径で形成された連通口を備え、前記ダクトにより導入された外気を前記後部熱交換器へ導くディフューザを設けると共に、前記ダクトの他端に開口面積を拡開させる拡開部を設けると共に、同拡開部に外気を導入する補助ファンを備えたノズルを設けてなり、
前記ディフューザが、前記連通口側から前記接続口側に行くにしたがって縮径するように形成されてなる構成となっている。
【０００７】
また、前記ディフューザが、前記接続口を備えた背面と、同背面に接合された上下面および両側面とで箱状に形成され、同上下面の少なくとも一方を傾斜させるようにしてなる構成となっている。
【０００８】
また、前記ディフューザが、前記接続口を備えた背面と、同背面に接合された上下面および両側面とで箱状に形成され、同両側面の少なくとも一方を傾斜させるようにしてなる構成となっている。
【０００９】
また、前記ディフューザの背面と、前記上下面の少なくとも一方および、または前記両側面の少なくとも一方との接合部が曲面状に形成されてなる構成となっている。
【００１０】
また、前記ディフューザが、前記接続口を備えた背面と、同背面に接合された円筒部とで箱状に形成されてなる構成となっている。
【００１１】
更に、前記ディフューザの背面と、前記円筒部との接合部が曲面状に形成されてなる構成となっている。
【００１２】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は断面図、（Ｂ）は斜視図であり、図３は本発明による空気調和機の要部斜視図で、（Ａ）はディフューザの斜視図、（Ｂ）はディフューザの係止爪および後部熱交換器のフィンの斜視図であり、図４は本発明による空気調和機の要部説明図で、（Ａ）はディフューザの第一の実施例を示す平面図、（Ｂ）は第一の実施例を示す正面図、（Ｃ）は第一の実施例を示す側面図であり、図５は本発明による空気調和機の要部説明図で、（Ａ）はディフューザの第二の実施例を示す平面図、（Ｂ）は第二の実施例を示す正面図、（Ｃ）は第二の実施例を示す側面図であり、図６は本発明による空気調和機の要部説明図で、（Ａ）はディフューザの第三の実施例を示す平面図、（Ｂ）は第三の実施例を示す正面図、（Ｃ）は第三の実施例を示す側面図であり、図７は本発明による空気調和機の要部説明図で、（Ａ）はディフューザの第四の実施例を示す平面図、（Ｂ）は第四の実施例を示す正面図、（Ｃ）は第四の実施例を示す側面図であり、図８は本発明による空気調和機の要部説明図で、（Ａ）はディフューザの第五の実施例を示す平面図、（Ｂ）は第五の実施例を示す正面図、（Ｃ）は第五の実施例を示す側面図である。
【００１３】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１４】
前記本体Ａは、背面上部に前記据付板２の係止爪１に係脱可能に係止される係止部３を備え、背面下部に接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１５】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部Ｄを備えたダクトフランジ１５がねじ締めされることによって取り付けられている。
【００１６】
同時に、前記据付板２および前記ベース６の間には、前記連通孔２ａおよび前記吸気孔６ａを連通した状態でシールするシール部材１６が介装されるように構成されている。
【００１７】
また、前記ダクト１４の他端には、開口面積を拡開させる拡開部１７を備えたノズル１８が設けられ、同ノズル１８の拡開部１７には外気導入用の補助ファン１９が設けられ、開口部には集塵用のフィルタ２４およびファンガード２５が設けられ、前記吸気孔６ａと前記後部熱交換器１１との間には、一端に前記吸気孔６ａに接続される接続口２０を備え、他端に同接続口２０よりも大径で形成された前記後部熱交換器１１に連通する連通口２１を備えると共に、同連通口２１には同後部熱交換器１１の伝熱管１１ａ  に係止する係止爪２２を一体に形成したディフューザ２３が設けられた構成になっている。
【００１８】
前記係止爪２２は、図１（Ａ）および図１（Ｂ）と、図３（Ａ）とで示すように、前記後部熱交換器１１に対し前記ディフューザ２３を上方から組み付けて前記伝熱管１１ａ  に係止されるように形成されているので、前記ベース６に設けた吸気孔６ａと前記後部熱交換器１１との間に、前記ディフューザ２３を容易に、且つ正確に取り付けることができるようになっている。
【００１９】
また、前記係止爪２２は、図３（Ｂ）で示すように、前記後部熱交換器１１を構成するフィン１１ｂ  間に嵌入されることによってガタツキが生じなくなり、前記伝熱管１１ａ  に対し正確に、且つ強固に係止されるようになっている。
【００２０】
これにより、前記ノズル１８から外気を導入する際、同ノズル１８の開口部に前記フィルタ２４および前記ファンガード２５が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００２１】
また、前記ノズル１８が前記拡開部１７を備えることによって開口面積が拡開されたことにより、該箇所に前記補助ファン１９を取り付けやすくした構造になっており、同補助ファン１９を起動することによって、図１（Ａ）で示す矢印のように、外気を前記ノズル１８から前記ダクト１４を経て前記ディフューザ２３に導き入れることができる。
【００２２】
なお、前記補助ファン１９は、図示はしないが前記ダクト１４、前記ダクトフランジ１５もしくは前記ディフューザ２３の何れかに設けるようにしてもよい。
【００２３】
前記ディフューザ２３は、前記接続口２０を備えた背面２３ａ  と、同背面２３ａ  に接合された上下面２３ｂ  および両側面２３ｃ  とで、または、前記背面２３ａ  に接合された図示しない円筒部とで、前記後部熱交換器１１に連なるように前部を開放させることにより箱状に形成された構成になっている。
【００２４】
そして、前記ディフューザ２３は、前記ダクト１４から外気が出た際、容積が急激に大きくなるように変化することによって低周波を主成分とした共鳴音が発生しないようにするため、前記接続口２０の近傍を曲面状に形成したり、または、前記連通口２１側から前記接続口２０側に行くにしたがって縮径するように形成された構成になっている。
【００２５】
これによって、前記ディフューザ２３内で低周波を主成分とした共鳴音の低減をはかることができるようになり、騒音によって使用者に不快感を与えてしまうおそれがなくなる。
【００２６】
以上の構成により、次にその動作について説明する。
前記ディフューザ２３は、第一の実施例として図４（Ａ）乃至図４（Ｃ）で示すように、前記背面２３ａ  と前記上面２３ｂ  との接合部ａを曲面状に形成することによって該箇所の容積が急激に大きくなってしまわないようにしたり、また、該箇所で乱流が生じないようにすることによって上記した共鳴音の低減をはかれるようになり、騒音によって使用者に不快感を与えてしまうおそれがなくなる。
【００２７】
また、第二の実施例として図５（Ａ）乃至図５（Ｃ）で示すように、前記両側面２３ｃ  を傾斜させるようにして、前記接続口２０近傍の容積を減らすことで上記した共鳴音の低減をはかれるようになる。
【００２８】
また、第三の実施例として図６（Ａ）乃至図６（Ｃ）で示すように、前記両側面２３ｃ  を傾斜させると共に、前記背面２３ａ  と前記上面２３ｂ  との接合部ａを曲面状に形成することによって該箇所の容積が急激に大きくなってしまわないようにしたり、また、該箇所で乱流が生じないようにすることによって上記した共鳴音の低減をはかれるようになる。
【００２９】
また、第四の実施例として図７（Ａ）乃至図７（Ｃ）で示すように、前記上面２３ｂ  を傾斜させるようにして、上記第二の実施例と同様に、前記接続口２０近傍の容積を減らすことで上記した共鳴音の低減をはかれるようになる。
【００３０】
更に、第四の実施例として図７（Ａ）乃至図７（Ｃ）で示すように、前記上面２３ｂ  を傾斜させると共に、前記両側面２３ｃ  を傾斜させるようにして、前記接続口２０近傍の容積をより効果的に減らすことで、更に効率よく上記した共鳴音の低減をはかれるようになる。
【００３１】
【発明の効果】
以上説明したように、本発明によれば、熱交換器の上流に外気を導入する流通路の容積が急激に変化しない構成にして、外気の流通に伴って生じる騒音を低減させるようにした外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）は断面図であり、（Ｂ）は斜視図である。
【図３】本発明による空気調和機の要部斜視図で、（Ａ）はディフューザの斜視図であり、（Ｂ）はディフューザの係止爪および後部熱交換器のフィンの斜視図である。
【図４】本発明による空気調和機の要部説明図で、（Ａ）はディフューザの第一の実施例を示す平面図であり、（Ｂ）は第一の実施例を示す正面図であり、（Ｃ）は第一の実施例を示す側面図である。
【図５】本発明による空気調和機の要部説明図で、（Ａ）はディフューザの第二の実施例を示す平面図であり、（Ｂ）は第二の実施例を示す正面図であり、（Ｃ）は第二の実施例を示す側面図である。
【図６】本発明による空気調和機の要部説明図で、（Ａ）はディフューザの第三の実施例を示す平面図であり、（Ｂ）は第三の実施例を示す正面図であり、（Ｃ）は第三の実施例を示す側面図である。
【図７】本発明による空気調和機の要部説明図で、（Ａ）はディフューザの第四の実施例を示す平面図であり、（Ｂ）は第四の実施例を示す正面図であり、（Ｃ）は第四の実施例を示す側面図である。
【図８】本発明による空気調和機の要部説明図で、（Ａ）はディフューザの第五の実施例を示す平面図であり、（Ｂ）は第五の実施例を示す正面図であり、（Ｃ）は第五の実施例を示す側面図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１４ａ  拡径部
１４ｂ  エルボ部
１４ｃ  穿孔
１５  ダクトフランジ
１５ａ  拡径部
１６  シール部材
１７  拡開部
１８  ノズル
１９  補助ファン
２０  接続口
２１  連通口
２２  係止爪
２３  ディフューザ
２３ａ  背面
２３ｂ  上下面
２３ｃ  両側面
２４  フィルタ
２５  ファンガード
２６  スライド板
２７  シール部材
２８  回動板
２８ａ  支軸部
２９  消音部材
Ａ  本体
Ｂ  壁面
Ｃ  壁孔
Ｄ  接続部
ａ  曲面状の接合部
【図１】
2004286318.tif 000003
【図２】
2004286318.tif 000004
【図３】
2004286318.tif 000005
【図４】
2004286318.tif 000006
【図５】
2004286318.tif 000007
【図６】
2004286318.tif 000008
【図７】
2004286318.tif 000009
【図８】
2004286318.tif 000010